(57)【要約】【課題】気密性をより向上させることができる配管貫通部の気密構造を提供する。【解決手段】建物内空間１０を仕切る仕切り壁１２に設けた貫通孔１４に配管１６を通してなる配管貫通部１８における気密性を確保するための気密構造１００であって、貫通孔１４周囲の仕切り壁１２にビス止め固定される鍔部２４を一端側に有し、配管１６の外周面を被覆する周方向に半分に割れた筒状の半割スリーブ２０と、仕切り壁１２と半割スリーブ２０の鍔部２４との間の隙間を塞ぐシール材２６と、周方向に繋げられた半割スリーブ２０の他端３４と配管１６とを跨いでこれらの外周に巻き付けられるアルミテープ３２とを備えるようにする。【選択図】図１
2013147859.tif 000002
【特許請求の範囲】
【請求項１】
建物内空間を仕切る仕切り壁に設けた貫通孔に配管を通してなる配管貫通部における気密性を確保するための気密構造であって、
前記貫通孔周囲の前記仕切り壁にビス止め固定される鍔部を一端側に有し、前記配管の外周面を被覆する周方向に半分に割れた筒状の半割スリーブと、
前記仕切り壁と前記半割スリーブの鍔部との間の隙間を塞ぐシール材と、
周方向に繋げられた前記半割スリーブの他端側と前記配管とを跨いでこれらの外周に巻き付けられるアルミテープとを備えることを特徴とする配管貫通部の気密構造。
【請求項２】
前記ビス止め固定した部分よりも前記鍔部の径外方側に前記シール材を設けるとともに、前記鍔部の径内方側にバックアップ材を設け、前記ビス止め固定した部分のビス頭をシール材で被覆したことを特徴とする請求項１に記載の配管貫通部の気密構造。
【請求項３】
前記半割スリーブは、前記配管の外周面を保温材を介して被覆するものであり、
前記半割スリーブの配置区間内に前記配管および前記保温材を縁切りする縁切り部を設けたことを特徴とする請求項１または２に記載の配管貫通部の気密構造。
【請求項４】
前記縁切り部を、前記配管に設けた鍔部で形成したことを特徴とする請求項３に記載の配管貫通部の気密構造。
【請求項５】
建物内空間を仕切る仕切り壁に設けた貫通孔に配管を通してなる配管貫通部における気密性を確保するための気密構造であって、
前記貫通孔を貫通して一端側と前記仕切り壁の内部側とにそれぞれ鍔部を有し、前記配管の外周面を保温材を介して被覆する筒状のスリーブと、
前記スリーブの一端側から外方に突出した前記配管の外周面を被覆するように配置され、周方向に半分に割れた筒部と、この筒部と連続し、前記スリーブの一端側の鍔部と接合するように配置される鍔部とからなるＬ字状断面の塞ぎ部材と、
前記貫通孔と前記スリーブとの間の隙間、前記スリーブの一端側の鍔部と前記塞ぎ部材の鍔部との間の隙間、および、前記配管の外周面と前記塞ぎ部材の筒部との間の隙間をそれぞれ塞ぐシール材とを備えることを特徴とする配管貫通部の気密構造。
【発明の詳細な説明】
【技術分野】
【０００１】
本発明は、建物の天井裏の仕切り壁等に設けた貫通孔に空調ダクトや蒸気ダクトなどの配管を通す場合において、この貫通部の気密性を確保するようにした配管貫通部の気密構造に関するものである。
【背景技術】
【０００２】
従来、医薬品などを製造する工場等の建物においては、ステロイド等の高い薬理活性を持つ薬剤を取り扱うエリアと、そうではない一般の薬剤等を取り扱うエリアとを仕切り壁で区画して同一フロア内に設ける場合がある。ステロイド等の高い薬理活性を持つ薬剤は他のエリアの製品や作業員等に深刻な影響を与えるおそれがあることから、外部に漏れ出ないように当該エリア内に封じ込める必要がある。
【０００３】
この封じ込めの方法としては、仕切り壁や出入り口などに形成される隙間をシール材などで塞ぐことによる気密処理のほか、天井裏を介した漏洩を防ぐために行う気密処理がある。天井裏には通常、空調ダクトや蒸気ダクトなどの配管が複数の部屋間を跨ぐように配置されることから、部屋の仕切り壁を天井裏にも延設し、この仕切り壁に貫通孔を設けて空調ダクトなどの配管を通すような処理を行う。この場合、配管貫通部の隙間にパテなどを詰めて塞ぎ、気密性を十分に確保することが多い。
【０００４】
この配管貫通部の気密構造に関連する従来の技術としては、例えば特許文献１の構造が知られている。この特許文献１の構造は、住宅の外壁の壁板に形成された貫通孔に嵌合する筒体と、壁板の表面に接するように筒体に固定された当て板と、筒体の内部に装填された断熱材とを備えた気密スリーブを用いたものである。断熱材は、筒体の内周面と空調配管の外周面に密着しており、配管の貫通部の気密性を高めるようになっている。
【先行技術文献】
【特許文献】
【０００５】
【特許文献１】特開２０００−１４６２７３号公報
【発明の概要】
【発明が解決しようとする課題】
【０００６】
ところで、上記の従来の特許文献１の構造は、気密対策に要する作業時間を短縮できるものであるが、気密スリーブの当て板と壁板との間、および、筒体と貫通孔との間に隙間があり、必ずしも気密性の確保が万全なものとは言いがたい構造となっている。このため、仕切り壁に設けた貫通孔に空調ダクトや蒸気ダクトなどの配管を通す場合において、気密性をより向上させることのできる配管貫通部の気密構造の開発が望まれていた。
【０００７】
本発明は、上記に鑑みてなされたものであって、気密性をより向上させることができる配管貫通部の気密構造を提供することを目的とする。
【課題を解決するための手段】
【０００８】
上記した課題を解決し、目的を達成するために、本発明の請求項１に係る配管貫通部の気密構造は、建物内空間を仕切る仕切り壁に設けた貫通孔に配管を通してなる配管貫通部における気密性を確保するための気密構造であって、前記貫通孔周囲の前記仕切り壁にビス止め固定される鍔部を一端側に有し、前記配管の外周面を被覆する周方向に半分に割れた筒状の半割スリーブと、前記仕切り壁と前記半割スリーブの鍔部との間の隙間を塞ぐシール材と、周方向に繋げられた前記半割スリーブの他端側と前記配管とを跨いでこれらの外周に巻き付けられるアルミテープとを備えることを特徴とする。
【０００９】
また、本発明の請求項２に係る配管貫通部の気密構造は、上述した請求項１において、前記ビス止め固定した部分よりも前記鍔部の径外方側に前記シール材を設けるとともに、前記鍔部の径内方側にバックアップ材を設け、前記ビス止め固定した部分のビス頭をシール材で被覆したことを特徴とする。
【００１０】
また、本発明の請求項３に係る配管貫通部の気密構造は、上述した請求項１または２において、前記半割スリーブは、前記配管の外周面を保温材を介して被覆するものであり、前記半割スリーブの配置区間内に前記配管および前記保温材を縁切りする縁切り部を設けたことを特徴とする。
【００１１】
また、本発明の請求項４に係る配管貫通部の気密構造は、上述した請求項３において、前記縁切り部を、前記配管に設けた鍔部で形成したことを特徴とする。
【００１２】
また、本発明の請求項５に係る配管貫通部の気密構造は、建物内空間を仕切る仕切り壁に設けた貫通孔に配管を通してなる配管貫通部における気密性を確保するための気密構造であって、前記貫通孔を貫通して一端側と前記仕切り壁の内部側とにそれぞれ鍔部を有し、前記配管の外周面を保温材を介して被覆する筒状のスリーブと、前記スリーブの一端側から外方に突出した前記配管の外周面を被覆するように配置され、周方向に半分に割れた筒部と、この筒部と連続し、前記スリーブの一端側の鍔部と接合するように配置される鍔部とからなるＬ字状断面の塞ぎ部材と、前記貫通孔と前記スリーブとの間の隙間、前記スリーブの一端側の鍔部と前記塞ぎ部材の鍔部との間の隙間、および、前記配管の外周面と前記塞ぎ部材の筒部との間の隙間をそれぞれ塞ぐシール材とを備えることを特徴とする。
【発明の効果】
【００１３】
本発明によれば、建物内空間を仕切る仕切り壁に設けた貫通孔に配管を通してなる配管貫通部における気密性を確保するための気密構造であって、前記貫通孔周囲の前記仕切り壁にビス止め固定される鍔部を一端側に有し、前記配管の外周面を被覆する周方向に半分に割れた筒状の半割スリーブと、前記仕切り壁と前記半割スリーブの鍔部との間の隙間を塞ぐシール材と、周方向に繋げられた前記半割スリーブの他端側と前記配管とを跨いでこれらの外周に巻き付けられるアルミテープとを備えるので、配管貫通部に形成される隙間は、ピンポイントではなく半割スリーブの配置区間に亘って塞がれ、しかも半割スリーブと配管とを跨いで巻き付けられたアルミテープが両者間の隙間を間断なく塞ぐので、配管貫通部の気密性を従来よりも向上させることができるという効果を奏する。
【００１４】
また、本発明の他の構成によれば、上述した構成において、前記ビス止め固定した部分よりも前記鍔部の径外方側に前記シール材を設けるとともに、前記鍔部の径内方側にバックアップ材を設け、前記ビス止め固定した部分のビス頭をシール材で被覆したので、半割スリーブの鍔部を固定するビス周囲に形成される隙間が塞がれて気密性を確保でき、配管貫通部における気密性をより一層向上させることができるという効果を奏する。
【００１５】
また、本発明の他の構成によれば、上述した構成において、前記半割スリーブは、前記配管の外周面を保温材を介して被覆するものであり、前記半割スリーブの配置区間内に前記配管および前記保温材を縁切りする縁切り部を設けたので、配管が蒸気配管等である場合において配管の熱伸縮の影響を緩和することができるという効果を奏する。
【００１６】
また、本発明の他の構成によれば、上述した構成において、前記縁切り部を、前記配管に設けた鍔部で形成したので、配管および保温材を容易に縁切りすることができるという効果を奏する。
【００１７】
また、本発明の他の構成によれば、建物内空間を仕切る仕切り壁に設けた貫通孔に配管を通してなる配管貫通部における気密性を確保するための気密構造であって、前記貫通孔を貫通して一端側と前記仕切り壁の内部側とにそれぞれ鍔部を有し、前記配管の外周面を保温材を介して被覆する筒状のスリーブと、前記スリーブの一端側から外方に突出した前記配管の外周面を被覆するように配置され、周方向に半分に割れた筒部と、この筒部と連続し、前記スリーブの一端側の鍔部と接合するように配置される鍔部とからなるＬ字状断面の塞ぎ部材と、前記貫通孔と前記スリーブとの間の隙間、前記スリーブの一端側の鍔部と前記塞ぎ部材の鍔部との間の隙間、および、前記配管の外周面と前記塞ぎ部材の筒部との間の隙間をそれぞれ塞ぐシール材とを備えるので、配管貫通部における気密性をより向上させることができるという効果を奏する。
【図面の簡単な説明】
【００１８】
【図１】図１は、本発明に係る配管貫通部の気密構造の実施例１を示す側断面図である。
【図２】図２は、図１の部分拡大図である。
【図３】図３は、図１に用いる半割スリーブの概略図であり、（１）は半分に分割した場合の側面図、（２）は繋げた場合の側面図、（３）は繋げた場合の正面図である。
【図４】図４は、本発明に係る配管貫通部の気密構造の実施例２を示す側断面図である。
【図５】図５は、図４の要部拡大図である。
【図６】図６は、図４の部分拡大図である。
【図７】図７は、本発明に係る配管貫通部の気密構造の実施例２の変形例を示す要部拡大図である。
【図８】図８は、本発明に係る配管貫通部の気密構造の実施例３を示す側断面図である。
【図９】図９は、図８の部分拡大図である。
【図１０】図１０は、図８の要部抽出図である。
【図１１】図１１は、塞ぎ部材の正面図である。
【発明を実施するための形態】
【００１９】
以下に、本発明に係る配管貫通部の気密構造の実施の形態を図面に基づいて詳細に説明する。なお、この実施例では建物の部屋の天井裏に適用される場合を例にとり説明するが、この実施例によりこの発明が限定されるものではない。
【００２０】
（実施例１）
まず、実施例１について説明する。
図１および図２に示すように、本発明の実施例１に係る配管貫通部の気密構造１００は、建物内の天井裏の空間１０を仕切る仕切り壁１２に設けた円形の貫通孔１４に、円形断面の配管１６を通してなる配管貫通部１８における気密性を確保するための気密構造である。仕切り壁１２は、プラスターボード１２ａ、１２ｂと軽量鉄骨１２ｃとにより構成してある。
【００２１】
この気密構造１００は、図１および図３に示すように、配管１６の外周面１６ａを被覆する、周方向に半分に割れた円筒状の金属製の半割スリーブ２０を備える。この半割スリーブ２０は、図２に示すように、貫通孔１４周囲の仕切り壁１２にビス２２によって固定される鍔部２４を一端側に有している。ビス２２は、貫通孔１４周囲に周方向等間隔に配置されている。
【００２２】
また、この気密構造１００は、図１および図２に示すように、仕切り壁１２と半割スリーブ２０の鍔部２４との間の隙間を塞ぐ耐熱性のシール材２６と、バックアップ材２８と、コーキング材３０と、半割スリーブ２０および配管１６に巻き付けたアルミテープ３２とを備える。
【００２３】
このアルミテープ３２は、周方向に繋げられた半割スリーブ２０の他端３４とこの他端３４の開口から出る配管１６とを跨いで間断なく巻き付けてあり、半割スリーブ２０の継ぎ目２０ａ（図３の（２）を参照）を塞ぐと同時に、半割スリーブ２０の他端３４の開口と配管１６との間に形成される隙間も塞いでいる。なお、突き合わされた鍔部２４の継ぎ目２４ａ（図３の（３）を参照）にもアルミテープ３２ａが貼り付けられ、隙間が塞がれている。
【００２４】
シール材２６は、図２に示すように、ビス２２による固定部分よりも鍔部２４の径外方側に設けられ、貫通孔１４の周囲に円環状に設けられる。バックアップ材２８は、ビス２２による固定部分よりも鍔部２４の径内方側に設けられ、貫通孔１４の周囲に円環状に設けられる。また、コーキング材３０は、プラスターボード１２ａの貫通孔１４における配管１６との隙間に設けられ、貫通孔１４の内周に沿って円環状に設けられる。
【００２５】
上記のように構成した実施例１によれば、配管貫通部１８に形成される隙間は、ピンポイントではなく半割スリーブ２０の配置区間に亘って塞がれ、しかも半割スリーブ２０と配管１６とを跨いで巻き付けられたアルミテープ３２が両者間の隙間を間断なく塞ぐので、配管貫通部１８の気密性を従来よりも向上させることができる。
【００２６】
なお、半割スリーブ２０およびアルミテープ３２の配置区間を長くすれば気流が隙間を通り抜けにくくなり、気密が一層保持され得る。また、天井裏の空間１０においては、半割スリーブ２０の鍔部２４が配置されない仕切り壁１２の左側を、ステロイド等の高い薬理活性を持つ薬剤の封じ込めエリア側として陰圧に設定すれば、鍔部２４が仕切り壁１２に向けて押し付けられ、剥離しにくくなるので気密性をより高めることができる。
【００２７】
（実施例２）
次に、実施例２について説明する。本実施例２は、配管１６が蒸気配管などの温熱配管である場合を想定したものである。なお、上記の実施例１において説明した部材等と同じ部材等については同一の符号を付すものとし、詳細な説明は省略する。
【００２８】
図４および図５に示すように、本発明の実施例２に係る配管貫通部の気密構造２００は、上記の実施例１において、半割スリーブ２０が配管１６の外周面１６ａを保温材３６を介して被覆するものであり、半割スリーブ２０の配置区間内に、配管１６および保温材３６を縁切りする縁切り部３８を設けたものである。保温材３６は縁切り部３８を挟んだ両側で保温材３６ａ、３６ｂに分離している。縁切り部３８には、配管１６の外周面１６ａに沿って円環状に配置した耐熱性と断熱性とを具備するシール材４０を設けることができる。
【００２９】
本実施例２によれば、上記の実施例１で説明した気密作用に加え、半割スリーブ２０の配置区間内において配管１６および保温材３６を縁切りする縁切り部３８が設けてあるので、配管１６が蒸気配管等である場合において配管１６の熱伸縮の影響を緩和することができる。
【００３０】
また、本実施例２では、図６に示すように、半割スリーブ２０の鍔部２４をビス止め固定するビス頭２２ａをシール材４２で被覆してある。こうすることで、半割スリーブ２０の鍔部２４を固定するビス２２周囲に形成される隙間が塞がれるので気密性を確保でき、配管貫通部１８における気密性をより一層向上させることができる。
【００３１】
（実施例２の変形例）
次に、実施例２の変形例について説明する。
図７に示すように、本発明の実施例２の変形例に係る配管貫通部の気密構造２０１は、縁切り部３８を、配管１６の端面に設けた鍔部４４で形成したものである。配管１６は鍔部４４どうしを突き合わせて接合してあり、接合した鍔部４４の両側には保温材３６ａ、３６ｂが分離して配置されている。
【００３２】
こうすることで、配管１６および保温材３６を容易に縁切りすることができる。なお、この図に示すように、鍔部４４の外縁に沿うように、耐熱性と断熱性を具備するシール材４６を設けてもよい。
【００３３】
（実施例３）
次に、実施例３について説明する。
図８〜図１０に示すように、本発明の実施例３に係る配管貫通部の気密構造３００は、建物内の天井裏の空間１０を仕切る仕切り壁１２に設けた四角形の貫通孔４８に、四角形断面の配管５０を通してなる配管貫通部５２における気密性を確保するための気密構造である。仕切り壁１２は、プラスターボード１２ａ、１２ｂと軽量鉄骨１２ｃとにより構成してある。
【００３４】
この気密構造３００は、貫通孔４８を貫通して一端側と仕切り壁１２の内部側とにそれぞれ鍔部５４、５６を有し、配管５０の外周面５０ａを保温材５８を介して被覆する角筒状の金属製のスリーブ６０を備えている。このスリーブ６０としては周方向に半分に割れた形態のものを用いても良い。仕切り壁１２の内部側の鍔部５６は、貫通孔４８の近くで仕切り壁１２の軽量鉄骨１２ｃに固定するための突起として用いることが可能であり、さらに、貫通孔４８とスリーブ６０との間に形成される隙間による気道を狭める作用もある。
【００３５】
また、この気密構造３００は、周方向に半分に割れた角筒部６２（筒部）と、鍔部６４とからなるＬ字状断面の金属製の塞ぎ部材６６を備える。塞ぎ部材６６の角筒部６２は、スリーブ６０の一端側から出た配管５０の外周面５０ａを被覆するように配置されている。また、塞ぎ部材６６の鍔部６４は、スリーブ６０の一端側の鍔部５４と接面するように配置されている。なお、図１１に示すように、上下に突き合わされた塞ぎ部材６６の鍔部６４どうしの継ぎ目６４ａにはアルミテープ６８が貼り付けられ、隙間が塞がれている。
【００３６】
さらに、この気密構造３００は、貫通孔４８とスリーブ６０との間の隙間、スリーブ６０の一端側の鍔部５４と塞ぎ部材６６の鍔部６４との間の隙間、および、配管５０の外周面５０ａと塞ぎ部材６６の角筒部６２との間の隙間をそれぞれ塞ぐ耐熱性のシール材７０、７２、７４を備えている。なお、接面した鍔部５４、６４の外縁には、鍔部間の隙間を塞ぐシール材７２を挟んでアルミテープ７６が貼り付けてある。また、塞ぎ部材６６の角筒部６２と鍔部６４とによって区画されるＬ字状の溝には保温材７８が配置してある。
【００３７】
上記のように構成した実施例３によれば、配管貫通部５２に形成される隙間は、鍔部５４、５６を有するスリーブ６０と塞ぎ部材６６とシール材７０、７２、７４とによって塞がれ、配管貫通部５２における気密性をより向上させることができる。
【００３８】
以上説明したように、本発明によれば、建物内空間を仕切る仕切り壁に設けた貫通孔に配管を通してなる配管貫通部における気密性を確保するための気密構造であって、貫通孔周囲の仕切り壁にビス止め固定される鍔部を一端側に有し、配管の外周面を被覆する周方向に半分に割れた筒状の半割スリーブと、仕切り壁と半割スリーブの鍔部との間の隙間を塞ぐシール材と、周方向に繋げられた半割スリーブの他端側と配管とを跨いでこれらの外周に巻き付けられるアルミテープとを備えるので、配管貫通部に形成される隙間は、ピンポイントではなく半割スリーブの配置区間に亘って塞がれ、しかも半割スリーブと配管とを跨いで巻き付けられたアルミテープが両者間の隙間を間断なく塞ぐので、配管貫通部の気密性を従来よりも向上させることができる。
【００３９】
また、本発明の他の構成によれば、上述した構成において、前記ビス止め固定した部分よりも前記鍔部の径外方側に前記シール材を設けるとともに、前記鍔部の径内方側にバックアップ材を設け、前記ビス止め固定した部分のビス頭をシール材で被覆したので、半割スリーブの鍔部を固定するビス周囲に形成される隙間が塞がれて気密性を確保でき、配管貫通部における気密性をより一層向上させることができる。
【００４０】
また、本発明の他の構成によれば、上述した構成において、前記半割スリーブは、前記配管の外周面を保温材を介して被覆するものであり、前記半割スリーブの配置区間内に前記配管および前記保温材を縁切りする縁切り部を設けたので、配管が蒸気配管等である場合において配管の熱伸縮の影響を緩和することができる。
【００４１】
また、本発明の他の構成によれば、上述した構成において、前記縁切り部を、前記配管に設けた鍔部で形成したので、配管および保温材を容易に縁切りすることができる。
【００４２】
また、本発明の他の構成によれば、建物内空間を仕切る仕切り壁に設けた貫通孔に配管を通してなる配管貫通部における気密性を確保するための気密構造であって、前記貫通孔を貫通して一端側と前記仕切り壁の内部側とにそれぞれ鍔部を有し、前記配管の外周面を保温材を介して被覆する筒状のスリーブと、前記スリーブの一端側から外方に突出した前記配管の外周面を被覆するように配置され、周方向に半分に割れた筒部と、この筒部と連続し、前記スリーブの一端側の鍔部と接合するように配置される鍔部とからなるＬ字状断面の塞ぎ部材と、前記貫通孔と前記スリーブとの間の隙間、前記スリーブの一端側の鍔部と前記塞ぎ部材の鍔部との間の隙間、および、前記配管の外周面と前記塞ぎ部材の筒部との間の隙間をそれぞれ塞ぐシール材とを備えるので、配管貫通部における気密性をより向上させることができる。
【産業上の利用可能性】
【００４３】
以上のように、本発明に係る配管貫通部の気密構造は、建物の天井裏の仕切り壁等に設けた貫通孔に空調ダクトや蒸気ダクトなどの配管を通す場合に有用であり、特に、配管貫通部の気密性をより向上させるのに適している。
【符号の説明】
【００４４】
１０  天井裏の空間
１２  仕切り壁
１２ａ，１２ｂ  プラスターボード
１２ｃ  軽量鉄骨
１４  貫通孔
１６  配管
１６ａ  外周面
１８  配管貫通部
２０  半割スリーブ
２０ａ  継ぎ目
２２  ビス
２２ａ  ビス頭
２４  鍔部
２４ａ  継ぎ目
２６  シール材
２８  バックアップ材
３０  コーキング材
３２，３２ａ  アルミテープ
３４  他端
３６，３６ａ，３６ｂ  保温材
３８  縁切り部
４０，４２，４６  シール材
４４  鍔部
４８  貫通孔
５０  配管
５０ａ  外周面
５２  配管貫通部
５４，５６  鍔部
５８  保温材
６０  スリーブ
６２  角筒部（筒部）
６４  鍔部
６６  塞ぎ部材
６８  アルミテープ
７０，７２，７４  シール材
７６  アルミテープ
７８  保温材
１００，２００，２０１，３００  配管貫通部の気密構造
【図１】
2013147859.tif 000003
【図２】
2013147859.tif 000004
【図３】
2013147859.tif 000005
【図４】
2013147859.tif 000006
【図５】
2013147859.tif 000007
【図６】
2013147859.tif 000008
【図７】
2013147859.tif 000009
【図８】
2013147859.tif 000010
【図９】
2013147859.tif 000011
【図１０】
2013147859.tif 000012
【図１１】
2013147859.tif 000013